(57)【要約】【課題】比較的簡単な構造で二方向に対する傾斜に対応することが可能となる太陽光パネル用架台の固定構造および固定部材を提供する。【解決手段】太陽光パネル用架台の固定構造は、太陽光パネルを支持するフレーム構造体と、設置面に配設される設置面側構造体と、フレーム構造体と設置面側構造体とを相対的に傾斜可能に連結して固定する固定部材１０Ｂと、を備える。固定部材１０Ｂは、第一軸線５１周りに傾斜可能な第一固定部材５２と、第一軸線５１と交差する第二軸線５３周りに傾斜可能な第二固定部材５４とを有する。【選択図】図６
2018174695.tif 000002
【特許請求の範囲】
【請求項１】
太陽光パネルを支持するフレーム構造体と、
設置面に配設される設置面側構造体と、
前記フレーム構造体と前記設置面側構造体とを相対的に傾斜可能に連結して固定する固定部材と、を備え、
前記固定部材は、第一軸線周りに傾斜可能な第一固定部材と、前記第一軸線と交差する第二軸線周りに傾斜可能な第二固定部材とを有する
ことを特徴とする太陽光パネル用架台の固定構造。
【請求項２】
前記第一固定部材は、第一下部と第一上部とを有し、
前記第一下部は、前記設置面側構造体に固定され、
前記第一上部は、前記第二固定部材に固定される
ことを特徴とする請求項１に記載の太陽光パネル用架台の固定構造。
【請求項３】
前記第一固定部材の前記第一上部は、前記第二固定部材の少なくとも一部を収容する第一収容部を有し、
前記第一収容部は、第一中間部と、前記第一中間部の両側部から上方に延在する一対の上部側面部とを有してＵ字状に形成され、
前記上部側面部の外側面に、前記第一固定部材の高さ方向に間隔を隔てて凹部および凸部を複数形成してなる凹凸構造が形成されている
ことを特徴とする請求項２に記載の太陽光パネル用架台の固定構造。
【請求項４】
前記第一固定部材の前記第一下部は、前記第一軸線を区画する第一ボス部と、前記第一中間部の両側部から前記第一ボス部へと延在する一対の第一傾斜面部とを有し、
前記第一ボス部の中心軸線は、前記第一中間部を幅方向に等分する線と平行に配置され、前記第一下部は幅方向に関して対称な形状を有する
ことを特徴とする請求項３に記載の太陽光パネル用架台の固定構造。
【請求項５】
前記第二固定部材は、第二下部と第二上部とを有し、
前記第二下部は、前記第一固定部材に固定され、
前記第二上部は、ブラケット部材を介して前記フレーム構造体に固定される
ことを特徴とする請求項１から４のいずれか一項に記載の太陽光パネル用架台の固定構造。
【請求項６】
前記第二固定部材の前記第二上部は、第二中間部と、前記第二中間部の両側部に連続して形成される一対の係合部とを有し、
前記係合部は、前記ブラケット部材に係合される
ことを特徴とする請求項５に記載の太陽光パネル用架台の固定構造。
【請求項７】
前記第二固定部材の第二下部は、前記第二軸線を区画する第二ボス部と、前記第二中間部の両側部から前記第二ボス部へと延在する一対の第二傾斜面部とを有し、
前記第二ボス部の中心軸線は、前記第二中間部を幅方向に等分する線と平行に配置され、前記第二下部は幅方向に関して対称な形状を有する
ことを特徴とする請求項６に記載の太陽光パネル用架台の固定構造。
【請求項８】
前記ブラケット部材は、幅方向の中央部分に上下に一対配置され、ボルトの頭部またはナットを収容可能な収容部と、前記収容部を間に挟んで幅方向の外側部分にそれぞれ配置されたホロー部と、前記ホロー部の外側面に形成されたブラケット側係合部とを有することを特徴とする請求項５から７のいずれか一項に記載の太陽光パネル用架台の固定構造。
【請求項９】
前記第一固定部材、前記第二固定部材および前記ブラケット部材は、アルミニウム合金製の押出形材からなることを特徴とする請求項５から８のいずれか一項に記載の太陽光パネル用架台の固定構造。
【請求項１０】
前記第二固定部材は、第二下部と第二上部とを有し、
前記第二下部は、前記第一固定部材に固定され、
前記第二上部は、梁材を介して前記フレーム構造体に固定される
ことを特徴とする請求項１から４のいずれか一項に記載の太陽光パネル用架台の固定構造。
【請求項１１】
前記第二固定部材の前記第二上部は、前記第二固定部材の幅方向に延在する板状部を有し、
前記板状部の下面に、前記第二固定部材の幅方向に間隔を隔てて凹部および凸部を複数形成してなる凹凸構造が形成され、
前記板状部の上面に、前記梁材が載置されて固定される
ことを特徴とする請求項１０に記載の太陽光パネル用架台の固定構造。
【請求項１２】
前記第二固定部材の第二下部は、前記第二軸線を区画する第二ボス部と、前記板状部の下面から前記第二ボス部へと延在する一対の第二傾斜面部とを有し、
前記第二ボス部の中心軸線は、前記第二上部を幅方向に等分する線と平行に配置され、前記第二下部は幅方向に関して対称な形状を有する
ことを特徴とする請求項１１に記載の太陽光パネル用架台の固定構造。
【請求項１３】
前記第一固定部材と前記第二固定部材とが組み合わせられた組立体が複数配設され、
前記梁材は、一端部が一の前記組立体の前記第二固定部材に固定され、他端部が他の前記組立体の前記第二固定部材に固定される
ことを特徴とする請求項１０から１２のいずれか一項に記載の太陽光パネル用架台の固定構造。
【請求項１４】
前記第一固定部材、前記第二固定部材および前記梁材は、アルミニウム合金製の押出形材からなることを特徴とする請求項１０から１３のいずれか一項に記載の太陽光パネル用架台の固定構造。
【請求項１５】
二つの構造体を相対的に傾斜可能に連結して固定する固定部材であって、
前記固定部材は、
第一軸線周りに傾斜可能な第一固定部材と、
前記第一軸線と交差する第二軸線周りに傾斜可能な第二固定部材と、を備え、
前記第一固定部材は、第一下部と第一上部とを有し、
前記第一固定部材の前記第一上部は、前記第二固定部材の少なくとも一部を収容する第一収容部を有し、
前記第一収容部は、第一中間部と、前記第一中間部の両側部から上方に延在する一対の上部側面部とを有してＵ字状に形成され、
前記第一固定部材の前記第一下部は、前記第一軸線を区画する第一ボス部と、前記第一中間部の両側部から前記第一ボス部へと延在する一対の第一傾斜面部とを有し、
前記第一ボス部の中心軸線は、前記第一中間部を幅方向に等分する線と平行に配置され、前記第一下部は幅方向に関して対称な形状を有する
ことを特徴とする固定部材。
【請求項１６】
前記第一中間部と前記第一ボス部と前記一対の第一傾斜面部とで囲まれる領域に、少なくとも一つの第一ホロー部が形成されることを特徴とする請求項１５に記載の固定部材。
【請求項１７】
前記上部側面部は、前記第一中間部から垂直に立ち上がるように形成されていることを特徴とする請求項１５または１６に記載の固定部材。
【請求項１８】
前記上部側面部の外側面に、前記第一固定部材の高さ方向に間隔を隔てて凹部および凸部を複数形成してなる凹凸構造が形成されていることを特徴とする請求項１５から１７のいずれか一項に記載の固定部材。
【請求項１９】
前記第二固定部材は、第二下部と第二上部とを有し、
前記第二固定部材の前記第二上部は、第二中間部と、前記第二中間部の両側部に連続して形成され、他の部材に係合される一対の係合部とを有し、
前記第二固定部材の第二下部は、前記第二軸線を区画する第二ボス部と、前記第二中間部の両側部から前記第二ボス部へと延在する一対の第二傾斜面部とを有し、
前記第二ボス部の中心軸線は、前記第二中間部を幅方向に等分する線と平行に配置され、前記第二下部は幅方向に関して対称な形状を有する
ことを特徴とする請求項１５から１８のいずれか一項に記載の固定部材。
【請求項２０】
前記第二中間部と前記第二ボス部と前記一対の第二傾斜面部とで囲まれる領域に、少なくとも一つの第二ホロー部が形成されることを特徴とする請求項１９に記載の固定部材。
【請求項２１】
前記第二固定部材は、第二下部と第二上部とを有し、
前記第二固定部材の前記第二上部は、前記第二固定部材の幅方向に延在し、下面に前記第二固定部材の幅方向に間隔を隔てて凹部および凸部を複数形成してなる凹凸構造を備える板状部を有し、
前記第二固定部材の第二下部は、前記第二軸線を区画する第二ボス部と、前記板状部の下面から前記第二ボス部へと延在する一対の第二傾斜面部とを有し、
前記第二ボス部の中心軸線は、前記第二上部を幅方向に等分する線と平行に配置され、前記第二下部は幅方向に関して対称な形状を有する
ことを特徴とする請求項１５から１８のいずれか一項に記載の固定部材。
【請求項２２】
前記板状部と前記第二ボス部と前記一対の第二傾斜面部とで囲まれる領域に、少なくとも一つの第二ホロー部が形成されることを特徴とする請求項２１に記載の固定部材。
【請求項２３】
前記二つの構造体は、太陽光パネル用架台のフレーム構造体および設置面側構造体であることを特徴とする請求項１５から２２のいずれか一項に記載の固定部材。
【請求項２４】
前記第一固定部材および前記第二固定部材は、アルミニウム合金製の押出形材からなることを特徴とする請求項１５から２３のいずれか一項に記載の固定部材。
【発明の詳細な説明】
【技術分野】
【０００１】
本発明は、太陽光パネル用架台の固定構造および固定部材に関する。
【背景技術】
【０００２】
従来から、太陽光パネルを設置するための太陽光パネル用の架台が公知である（例えば、特許文献１参照）。
【０００３】
特許文献１に記載の太陽光パネル用架台では、太陽光パネルを支持するフレーム構造体（架台フレーム）と、設置面に配設される設置面側構造体（垂直支柱およびブレース）とを、固定部材（ブレース取付桟および止着金具）により連結する構成となっている。
【先行技術文献】
【特許文献】
【０００４】
【特許文献１】特開２０１４−１４８８２０号公報
【発明の概要】
【発明が解決しようとする課題】
【０００５】
特許文献１に記載の太陽光パネル用架台では、フレーム構造体の傾斜角度を調整するに際して固定部材（ブレース取付桟および止着金具）が一方向に対する傾斜のみを許容するため、フレーム構造体の傾斜角度の調整が容易でない。
【０００６】
そこで、本発明は、比較的簡単な構造で二方向に対する傾斜に対応することが可能となる太陽光パネル用架台の固定構造および固定部材を提供することを目的とする。
【課題を解決するための手段】
【０００７】
本発明の第１の態様は、太陽光パネルを支持するフレーム構造体と、設置面に配設される設置面側構造体と、フレーム構造体と設置面側構造体とを相対的に傾斜可能に連結して固定する固定部材と、を備える太陽光パネル用架台の固定構造である。固定部材は、第一軸線周りに傾斜可能な第一固定部材と、第一軸線と交差する第二軸線周りに傾斜可能な第二固定部材とを有する。
【０００８】
本発明の第２の態様は、二つの構造体を相対的に傾斜可能に連結して固定する固定部材である。固定部材は、第一軸線周りに傾斜可能な第一固定部材と、第一軸線と交差する第二軸線周りに傾斜可能な第二固定部材と、を備える。第一固定部材は、第一下部と第一上部とを有する。第一固定部材の第一上部は、第二固定部材の少なくとも一部を収容する第一収容部を有し、第一収容部は、第一中間部と、第一中間部の両側部から上方に延在する一対の上部側面部とを有してＵ字状に形成される。第一固定部材の第一下部は、第一軸線を区画する第一ボス部と、第一中間部の両側部から第一ボス部へと延在する一対の第一傾斜面部とを有し、第一ボス部の中心軸線は、第一中間部を幅方向に等分する線と平行に配置され、第一下部は幅方向に関して対称な形状を有する。
【発明の効果】
【０００９】
本発明に係る太陽光パネル用架台の固定構造および固定部材によれば、比較的簡単な構造で二方向に対する傾斜に対応することが可能となる。
【図面の簡単な説明】
【００１０】
【図１】図１は、本発明の第一実施形態に係る太陽光パネル用架台の固定構造を示す斜視図である。
【図２】図２は、第一固定部材と第二固定部材とブラケット部材とを相互に固定した状態を示す斜視図である。
【図３】図３は、図２の分解斜視図である。
【図４】図４は、本発明の第二実施形態に係る太陽光パネル用架台の固定構造を示す斜視図である。
【図５】図５は、第一固定部材と第二固定部材と梁材とを相互に固定した状態を示す斜視図である。
【図６】図６は、図５の分解斜視図である。
【発明を実施するための形態】
【００１１】
以下、本発明の実施形態を図面と共に詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１２】
［第一実施形態］
図１に示すように、本発明の第一実施形態に係る太陽光パネル用架台の固定構造は、太陽光パネルを支持するフレーム構造体（図示せず）と、設置面に配設される設置面側構造体１Ａと、フレーム構造体と設置面側構造体１Ａとを連結して固定する固定部材１０Ａと、を備える。
【００１３】
図示はしないが、フレーム構造体は、太陽光パネルを支持する第一フレーム部材（垂木）と、第一フレーム部材を支持し、かつ、直交方向に延在する第二フレーム部材とから主に構成される。例えば、第一フレーム部材および第二フレーム部材はそれぞれ、中空材から構成される。また、例えば、第一フレーム部材は、太陽光パネル用架台の幅方向Ｗに延在し、第二フレーム部材は、太陽光パネル用架台の奥行き方向Ｄに延在する。
【００１４】
図１に示すように、設置面側構造体１Ａは、第一支柱部材２と、第一支柱部材２に対してスライド可能に組み合わされる第二支柱部材３とから主に構成される。第一支柱部材２および第二支柱部材３はそれぞれ、断面Ｕ字状の形材から構成されている。また、第一支柱部材２および第二支柱部材３は、太陽光パネル用架台の高さ方向Ｈに延在している。
【００１５】
第一フレーム部材、第二フレーム部材、第一支柱部材２および第二支柱部材３は、アルミニウム合金製の押出形材からなる。
【００１６】
これらの各部材がアルミニウム合金製の押出形材からなることにより、鋼材からなるものとした場合と比較すると、太陽光パネル用架台全体を軽量化することが可能になる。また、これらの各部材の寸法精度を高めることができ、太陽光パネル用架台の設置を容易かつ正確に行うことができると共に、優れた耐食性および外観を得ることができる。さらに、長尺の部材を比較的低コストで製造することができるため、製造コストを低減することができると共に、アルミニウム合金はリサイクル性に比較的優れているため、太陽光パネル用架台の撤去後に材料を再利用することができる。
【００１７】
図１から図３に示すように、固定部材１０Ａは、第一軸線１１周りに傾斜可能な第一固定部材１２と、第一軸線１１と交差する第二軸線１３周りに傾斜可能な第二固定部材１４とを有する。本実施形態では、第一軸線１１と第二軸線１３とが互いに直交するように第一固定部材１２および第二固定部材１４は配置されている。
【００１８】
第一固定部材１２は、第一固定部材１２の下部を構成する第一下部１５と、第一固定部材１２の上部を構成する第一上部１６と、第一下部１５と第一上部１６との間に配設される第一中間部（第一底面部）１７とを有する。第一下部１５は、設置面側構造体１Ａの第一支柱部材２に第一締結部材１８を介して固定され、第一上部１６は、第二固定部材１４の第二下部２９に第二締結部材１９を介して固定される。
【００１９】
第一固定部材１２の第一下部１５は、第一軸線１１を区画する円筒状の第一ボス部２０と、第一中間部１７の両側部から第一ボス部２０へと延在する一対の第一傾斜面部２１，２１とを有する。第一ボス部２０は、第一締結部材１８のボルト１８ａが挿通される第一下部ボルト孔２２を有している。第一ボス部２０の中心軸線（第一軸線１１）は、第一中間部１７を幅方向に等分する線と平行に配置され、第一下部１５は、第一固定部材１２の幅方向に関して対称な形状を有する。第一中間部１７と第一ボス部２０と一対の第一傾斜面部２１，２１とで囲まれる領域には、少なくとも一つの第一ホロー部２３が形成される。本実施形態では、第一中間部１７の幅方向の中央部と第一ボス部２０の幅方向の中央部とが仕切部２４で繋がれており、前記領域には二つの第一ホロー部２３が幅方向に間隔をおいて形成されている。
【００２０】
第一固定部材１２の第一上部１６は、第二固定部材１４の第二下部２９を収容する第一収容部２５を有する。第一収容部２５は、第一中間部１７と、第一中間部１７の両側部から上方に延在する一対の上部側面部２６，２６とを有してＵ字状に形成されている。上部側面部２６はそれぞれ、第一中間部１７の両側部から垂直（直角）に立ち上がるように形成されている。また、上部側面部２６には、第二締結部材１９のボルト１９ａが挿通される第一上部ボルト孔２７が貫通形成されており、この第一上部ボルト孔２７は、第一固定部材１２の高さ方向に沿って延びる長孔形状に形成されている。さらに、上部側面部２６の外側面には、第一固定部材１２の高さ方向に間隔を隔てて凹部および凸部を複数形成してなる凹凸構造２８が形成されている。
【００２１】
第二固定部材１４は、第二固定部材１４の下部を構成する第二下部２９と、第二固定部材１４の上部を構成する第二上部３０と、第二下部２９と第二上部３０との間に配設される第二中間部（第二底面部）３１とを有する。第二下部２９は、第一固定部材１２の第一上部１６に第二締結部材１９を介して固定され、第二上部３０は、ブラケット部材３２を介してフレーム構造体に固定される。
【００２２】
第二固定部材１４の第二下部２９は、第二軸線１３を区画する円筒状の第二ボス部３３と、第二中間部３１の両側部から第二ボス部３３へと延在する一対の第二傾斜面部３４，３４とを有する。第二ボス部３３は、第二締結部材１９のボルト１９ａが挿通される第二下部ボルト孔３５を有している。第二ボス部３３の中心軸線（第二軸線１３）は、第二中間部３１を幅方向に等分する線と平行に配置され、第二下部２９は、第二固定部材１４の幅方向に関して対称な形状を有する。第二中間部３１と第二ボス部３３と一対の第二傾斜面部３４，３４とで囲まれる領域には、少なくとも一つの第二ホロー部３６が形成される。本実施形態では、前記領域には一つの第二ホロー部３６が形成されている。
【００２３】
第二固定部材１４の第二上部３０は、第二中間部３１と、第二中間部３１の両側部に連続して形成される一対の係合部３７，３７とを有し、係合部３７は、ブラケット部材３２に係合される。この係合部３７は、第二中間部３１の両側部から垂直（直角）に立ち上がるように形成される立ち上がり部３８と、立ち上がり部３８の上端から幅方向内側に延在する係合片３９とから構成されている。このような係合部３７が、第二固定部材１４の全長に亘って形成されている。さらに、第二中間部３１には、ブラケット部材３２を第二固定部材１４に対して固定するためのボルト（図示せず）が挿通される第二上部ボルト孔４０が貫通形成されており、この第二上部ボルト孔４０は、丸孔形状に形成されている。
【００２４】
ブラケット部材３２は、幅方向の中央部分に上下に一対配置され、ボルトの頭部またはナットを収容可能な収容部４１と、収容部４１を間に挟んで幅方向の外側部分にそれぞれ配置されたホロー部４２と、ホロー部４２の外側面に形成されたブラケット側係合部４３とを有する。収容部４１は、ブラケット部材３２の幅方向の中央部分に上下に形成された溝部４４と、溝部４４の開口端に形成され、ブラケット部材３２の幅方向内側にそれぞれ突出する一対の突出部４５，４５とから構成されている。このような収容部４１が、ブラケット部材３２の全長に亘って形成されている。ブラケット側係合部４３は、ホロー部４２の外側面から幅方向外側に延在するブラケット側係合片４６から構成されている。このようなブラケット側係合部４３が、ブラケット部材３２の全長に亘って形成されている。
【００２５】
第一固定部材１２、第二固定部材１４およびブラケット部材３２は、第一支柱部材２および第二支柱部材３等と同様に、アルミニウム合金製の押出形材からなる。
【００２６】
第一固定部材１２の第一下部１５と設置面側構造体１Ａの第一支柱部材２との締結は、ボルト１８ａおよびナット（図示せず）からなる第一締結部材１８を介して行う。具体的には、まず、第一支柱部材２に形成されたホロー部４に第一固定部材１２の第一下部１５を収容する。次いで、ボルト１８ａの軸部を、第一支柱部材２の一側部に形成されたボルト孔、第一固定部材１２の第一下部ボルト孔２２、第一支柱部材２の他側部に形成されたボルト孔に挿入して、このボルト１８ａの軸部の先端を第一支柱部材２の他側部から突出させる。そして、このボルト１８ａの軸部にナットを締め付けると、第一固定部材１２および第一支柱部材２がボルト１８ａおよびナットによって挟持される。これにより、第一固定部材１２の第一下部１５と設置面側構造体１Ａの第一支柱部材２とが締結される。
【００２７】
第一固定部材１２の第一上部１６と第二固定部材１４の第二下部２９との締結は、ワッシャー（座金）４７と、ボルト１９ａおよびナット（図示せず）からなる第二締結部材１９とを介して行う。具体的には、まず、第一固定部材１２の第一収容部２５に第二固定部材１４の第二下部２９を収容する。次いで、ボルト１９ａの軸部を、ワッシャー４７、第一固定部材１２の一側部側の第一上部ボルト孔２７、第二固定部材１４の第二下部ボルト孔３５、第一固定部材１２の他側部側の第一上部ボルト孔２７、ワッシャー４７に挿入して、このボルト１９ａの軸部の先端を第一固定部材１２の他側部側のワッシャー４７から突出させる。そして、このボルト１９ａの軸部にナットを締め付けると、第一固定部材１２および第二固定部材１４がボルト１９ａおよびナットによって挟持される。これにより、第一固定部材１２の第一上部１６と第二固定部材１４の第二下部２９とが締結される。
【００２８】
以下に、本実施形態による作用効果を説明する。
【００２９】
（１）本実施形態に係る太陽光パネル用架台の固定構造は、太陽光パネルを支持するフレーム構造体と、設置面に配設される設置面側構造体１Ａと、フレーム構造体と設置面側構造体１Ａとを相対的に傾斜可能に連結して固定する固定部材１０Ａと、を備える。固定部材１０Ａは、第一軸線１１周りに傾斜可能な第一固定部材１２と、第一軸線１１と交差する第二軸線１３周りに傾斜可能な第二固定部材１４とを有する。
【００３０】
フレーム構造体を設置面側構造体１Ａに対して固定する際、フレーム構造体はねじれが生じないように固定する必要がある。そのようにしないと、フレーム構造体における太陽光パネルの支持面にねじれが生じ、太陽光パネルの支持に支障をきたす可能性がある。太陽光パネル用架台のフレーム構造体と設置面側構造体１Ａとを連結して固定するための固定部材１０Ａ（第一固定部材１２および第二固定部材１４）が、異なる二方向に対する傾斜機能を有するため、比較的容易に、フレーム構造体をねじれが生じないように固定することが可能となる。
【００３１】
以上より、本実施形態に係る太陽光パネル用架台の固定構造によれば、比較的簡単な構造で二方向に対する傾斜に対応することが可能となる。
【００３２】
（２）第一固定部材１２は、第一下部１５と第一上部１６とを有し、第一下部１５は、設置面側構造体１Ａに固定され、第一上部１６は、第二固定部材１４に固定される。
【００３３】
これにより、第一固定部材１２を設置面側構造体１Ａに、所望の傾斜角度に傾斜させて固定することが可能となる。
【００３４】
（３）第一固定部材１２の第一上部１６は、第二固定部材１４の少なくとも一部を収容する第一収容部２５を有し、第一収容部２５は、第一中間部１７と、第一中間部１７の両側部から上方に延在する一対の上部側面部２６，２６とを有してＵ字状に形成される。上部側面部２６の外側面に、第一固定部材１２の高さ方向に間隔を隔てて凹部および凸部を複数形成してなる凹凸構造２８が形成されている。
【００３５】
第一固定部材１２の第一上部１６に第一収容部２５を形成することにより、第一固定部材１２と第二固定部材１４とを安定的に固定することが可能となり、また、第二固定部材１４を第一固定部材１２に対して傾斜させ易くすることが可能となる。また、第一固定部材１２の上部側面部２６の外側面に凹凸構造２８を形成することにより、同様な凹凸構造４８（図３参照）を形成したワッシャー４７を用いてボルトナット固定を行うことで、第一固定部材１２と第二固定部材１４との固定強度を向上させることが可能となる。
【００３６】
（４）第一固定部材１２の第一下部１５は、第一軸線１１を区画する第一ボス部２０と、第一中間部１７の両側部から第一ボス部２０へと延在する一対の第一傾斜面部２１，２１とを有する。第一ボス部２０の中心軸線（第一軸線１１）は、第一中間部１７を幅方向に等分する線と平行に配置され、第一下部１５は幅方向に関して対称な形状を有する。
【００３７】
第一固定部材１２の第一中間部１７から第一ボス部２０までを一対の第一傾斜面部２１，２１によって繋ぐことにより、第一固定部材１２を傾斜させる際に設置面側構造体１Ａと干渉し難い構造とすることができる。このため、第一固定部材１２の傾斜範囲を広くすることが可能となる。また、第一固定部材１２を幅方向に関して対称な形状とすることにより、第一固定部材１２の重心バランスを良好にすることが可能となる。
【００３８】
（５）第二固定部材１４は、第二下部２９と第二上部３０とを有し、第二下部２９は、第一固定部材１２に固定され、第二上部３０は、ブラケット部材３２を介してフレーム構造体に固定される。
【００３９】
これにより、第二固定部材１４を第一固定部材１２に、所望の傾斜角度に傾斜させて固定することが可能となる。また、第二固定部材１４とフレーム構造体との間にブラケット部材３２を介在させることにより、フレーム構造体の位置を微調整することが可能となる。
【００４０】
（６）第二固定部材１４の第二上部３０は、第二中間部３１と、第二中間部３１の両側部に連続して形成される一対の係合部３７，３７とを有し、係合部３７は、ブラケット部材３２に係合される。
【００４１】
これにより、係合部３７を用いてブラケット部材３２の仮止めを行うことができ、例えば他の長尺系部材を第二固定部材１４に対して固定し易くすることが可能となる。
【００４２】
（７）第二固定部材１４の第二下部２９は、第二軸線１３を区画する第二ボス部３３と、第二中間部３１の両側部から第二ボス部３３へと延在する一対の第二傾斜面部３４，３４とを有する。第二ボス部３３の中心軸線（第二軸線１３）は、第二中間部３１を幅方向に等分する線と平行に配置され、第二下部２９は幅方向に関して対称な形状を有する。
【００４３】
第二固定部材１４の第二中間部３１から第二ボス部３３までを一対の第二傾斜面部３４，３４によって繋ぐことにより、第二固定部材１４を傾斜させる際に第一固定部材１２と干渉し難い構造とすることができる。このため、第二固定部材１４の傾斜範囲を広くすることが可能となる。また、第二固定部材１４を幅方向に関して対称な形状とすることにより、第二固定部材１４の重心バランスを良好にすることが可能となる。
【００４４】
（８）ブラケット部材は、幅方向の中央部分に上下に一対配置され、ボルトの頭部またはナットを収容可能な収容部４１と、収容部４１を間に挟んで幅方向の外側部分にそれぞれ配置されたホロー部４２と、ホロー部４２の外側面に形成されたブラケット側係合部４３とを有する。
【００４５】
ブラケット部材３２の中央部分の上下に収容部４１を形成することにより、ボルトまたはナットの位置決めを行い易くできると共に、相手側の部材（フレーム構造体、第二固定部材１４）との接触面積を上下面に広く確保することができる。また、ブラケット部材３２にホロー部４２を形成することにより、ブラケット部材３２の強度を向上させることができる。ブラケット部材３２にブラケット側係合部４３を形成することにより、ブラケット側係合部４３を用いてブラケット部材３２の仮止めを行うことができ、ブラケット部材３２を第二固定部材１４に対して固定し易くすることが可能となる。
【００４６】
（９）第一固定部材１２、第二固定部材１４およびブラケット部材３２は、アルミニウム合金製の押出形材からなる。
【００４７】
これにより、これらの各部材を鋼材からなるものとした場合と比較すると、固定部材１０Ａ全体およびブラケット部材３２を軽量化することが可能になる。また、これらの各部材の寸法精度を高めることができ、太陽光パネル用架台の設置を容易かつ正確に行うことができると共に、優れた耐食性および外観を得ることができる。さらに、アルミニウム合金はリサイクル性に比較的優れているため、太陽光パネル用架台の撤去後に、第一固定部材１２、第二固定部材１４およびブラケット部材３２の材料を再利用することができる。
【００４８】
（１０）固定部材１０Ａは、第一軸線１１周りに傾斜可能な第一固定部材１２と、第一軸線１１と交差する第二軸線１３周りに傾斜可能な第二固定部材１４と、を備える。第一固定部材１２は、第一下部１５と第一上部１６とを有する。第一固定部材１２の第一上部１６は、第二固定部材１４の少なくとも一部を収容する第一収容部２５を有し、第一収容部２５は、第一中間部１７と、第一中間部１７の両側部から上方に延在する一対の上部側面部２６，２６とを有してＵ字状に形成される。第一固定部材１２の第一下部１５は、第一軸線１１を区画する第一ボス部２０と、第一中間部１７の両側部から第一ボス部２０へと延在する一対の第一傾斜面部２１，２１とを有し、第一ボス部２０の中心軸線（第一軸線１１）は、第一中間部１７を幅方向に等分する線と平行に配置され、第一下部１５は幅方向に関して対称な形状を有する。
【００４９】
二つの構造体を連結して固定するための固定部材１０Ａ（第一固定部材１２および第二固定部材１４）が、異なる二方向に対する傾斜機能を有するため、これら二つの構造体を、所望の傾斜角度に傾斜させて固定することが可能となる。
【００５０】
以上より、固定部材１０Ａによれば、比較的簡単な構造で二方向に対する傾斜に対応することが可能となる。
【００５１】
また、第一固定部材１２の第一中間部１７から第一ボス部２０までを一対の第一傾斜面部２１，２１によって繋ぐことにより、第一固定部材１２を傾斜させる際に固定対象の構造体と干渉し難い構造とすることができる。このため、第一固定部材１２の傾斜範囲を広くすることが可能となる。また、第一固定部材１２を幅方向に関して対称な形状とすることにより、第一固定部材１２の重心バランスを良好にすることが可能となる。
【００５２】
（１１）第一固定部材１２の第一中間部１７と第一ボス部２０と一対の第一傾斜面部２１，２１とで囲まれる領域に、少なくとも一つの第一ホロー部２３が形成される。
【００５３】
第一固定部材１２に第一ホロー部２３を形成することにより、第一固定部材１２の強度を向上させることができる。
【００５４】
（１２）第一固定部材１２の上部側面部２６は、第一中間部１７から垂直に立ち上がるように形成されている。
【００５５】
これにより、第一固定部材１２の第一上部１６に固定する他の部材（第二固定部材１４）を一対の上部側面部２６，２６により挟み込むことができ、第一固定部材１２と他の部材（第二固定部材１４）とを安定的に固定することが可能となる。
【００５６】
（１３）第一固定部材１２の上部側面部２６の外側面に、第一固定部材１２の高さ方向に間隔を隔てて凹部および凸部を複数形成してなる凹凸構造２８が形成されている。
【００５７】
第一固定部材１２の上部側面部２６の外側面に凹凸構造２８を形成することにより、同様な凹凸構造４８（図３参照）を形成したワッシャー４７を用いてボルトナット固定を行うことで、第一固定部材１２と他の部材（第二固定部材１４）との固定強度を向上させることが可能となる。
【００５８】
（１４）第二固定部材１４は、第二下部２９と第二上部３０とを有する。第二固定部材１４の第二上部３０は、第二中間部３１と、第二中間部３１の両側部に連続して形成され、他の部材に係合される一対の係合部３７，３７とを有する。第二固定部材１４の第二下部２９は、第二軸線１３を区画する第二ボス部３３と、第二中間部３１の両側部から第二ボス部３３へと延在する一対の第二傾斜面部３４，３４とを有し、第二ボス部３３の中心軸線（第二軸線１３）は、第二中間部３１を幅方向に等分する線と平行に配置され、第二下部２９は幅方向に関して対称な形状を有する。
【００５９】
第二固定部材１４の第二中間部３１から第二ボス部３３までを一対の第二傾斜面部３４，３４によって繋ぐことにより、第二固定部材１４を傾斜させる際に他の部材（第一固定部材１２）と干渉し難い構造とすることができる。このため、第二固定部材１４の傾斜範囲を広くすることが可能となる。また、第二固定部材１４を幅方向に関して対称な形状とすることにより、第二固定部材１４の重心バランスを良好にすることが可能となる。
【００６０】
また、係合部３７を用いて他の部材（ブラケット部材３２）の仮止めを行うことができ、例えば他の長尺系部材を第二固定部材１４に対して固定し易くすることが可能となる。
【００６１】
（１５）第二固定部材１４の第二中間部３１と第二ボス部３３と一対の第二傾斜面部３４，３４とで囲まれる領域に、少なくとも一つの第二ホロー部３６が形成される。
【００６２】
第二固定部材１４に第二ホロー部３６を形成することにより、第二固定部材１４の強度を向上させることができる。
【００６３】
（１６）二つの構造体は、太陽光パネル用架台のフレーム構造体および設置面側構造体１Ａである。
【００６４】
これにより、太陽光パネル用架台のフレーム構造体と設置面側構造体１Ａとを互いに傾斜させて固定することができ、太陽光パネル用架台としては比較的簡単な構造で二方向に対する傾斜に対応することが可能となる。
【００６５】
（１７）第一固定部材１２および第二固定部材１４は、アルミニウム合金製の押出形材からなる。
【００６６】
これにより、これらの各部材を鋼材からなるものとした場合と比較すると、固定部材１０Ａ全体を軽量化することが可能になる。また、これらの各部材の寸法精度を高めることができ、太陽光パネル用架台の設置を容易かつ正確に行うことができると共に、優れた耐食性および外観を得ることができる。さらに、アルミニウム合金はリサイクル性に比較的優れているため、太陽光パネル用架台の撤去後に、第一固定部材１２および第二固定部材１４の材料を再利用することができる。
【００６７】
［第二実施形態］
図４に示すように、本発明の第二実施形態に係る太陽光パネル用架台の固定構造は、太陽光パネルを支持するフレーム構造体（図示せず）と、設置面に配設される設置面側構造体１Ｂと、フレーム構造体と設置面側構造体１Ｂとを連結して固定する固定部材１０Ｂと、を備える。
【００６８】
図示はしないが、フレーム構造体は、太陽光パネルを支持する第一フレーム部材（垂木）と、第一フレーム部材を支持し、かつ、直交方向に延在する第二フレーム部材とから主に構成される。例えば、第一フレーム部材および第二フレーム部材はそれぞれ、中空材から構成される。また、例えば、第一フレーム部材は、太陽光パネル用架台の幅方向Ｗに延在し、第二フレーム部材は、太陽光パネル用架台の奥行き方向Ｄに延在する。
【００６９】
図４に示すように、設置面側構造体１Ｂは、支柱部材６を備える。支柱部材６は、断面ハット形状の形材から構成されて、太陽光パネル用架台の高さ方向Ｈに延在している。
【００７０】
第一フレーム部材、第二フレーム部材および支柱部材６は、アルミニウム合金製の押出形材からなる。
【００７１】
これらの各部材がアルミニウム合金製の押出形材からなることにより、鋼材からなるものとした場合と比較すると、太陽光パネル用架台全体を軽量化することが可能になる。また、これらの各部材の寸法精度を高めることができ、太陽光パネル用架台の設置を容易かつ正確に行うことができると共に、優れた耐食性および外観を得ることができる。さらに、長尺の部材を比較的低コストで製造することができるため、製造コストを低減することができると共に、アルミニウム合金はリサイクル性に比較的優れているため、太陽光パネル用架台の撤去後に材料を再利用することができる。
【００７２】
図４から図６に示すように、固定部材１０Ｂは、第一軸線５１周りに傾斜可能な第一固定部材５２と、第一軸線５１と交差する第二軸線５３周りに傾斜可能な第二固定部材５４とを有する。本実施形態では、第一軸線５１と第二軸線５３とが互いに直交するように第一固定部材５２および第二固定部材５４は配置されている。
【００７３】
第一固定部材５２は、第一固定部材５２の下部を構成する第一下部５５と、第一固定部材５２の上部を構成する第一上部５６と、第一下部５５と第一上部５６との間に配設される第一中間部（第一底面部）５７とを有する。第一下部５５は、設置面側構造体１Ｂの支柱部材６に第一締結部材５８を介して固定され、第一上部５６は、第二固定部材５４の第二下部６９に第二締結部材５９を介して固定される。
【００７４】
第一固定部材５２の第一下部５５は、第一軸線５１を区画する円筒状の第一ボス部６０と、第一中間部５７の両側部から第一ボス部６０へと延在する一対の第一傾斜面部６１，６１とを有する。第一ボス部６０は、第一締結部材５８のボルト５８ａが挿通される第一下部ボルト孔６２を有している。第一ボス部６０の中心軸線（第一軸線５１）は、第一中間部５７を幅方向に等分する線と平行に配置され、第一下部５５は、第一固定部材５２の幅方向に関して対称な形状を有する。第一中間部５７と第一ボス部６０と一対の第一傾斜面部６１，６１とで囲まれる領域には、少なくとも一つの第一ホロー部６３が形成される。本実施形態では、第一中間部５７の幅方向の中央部と第一ボス部６０の幅方向の中央部とが仕切部６４で繋がれており、前記領域には二つの第一ホロー部６３が幅方向に間隔をおいて形成されている。
【００７５】
第一固定部材５２の第一上部５６は、第二固定部材５４の第二下部６９を収容する第一収容部６５を有する。第一収容部６５は、第一中間部５７と、第一中間部５７の両側部から上方に延在する一対の上部側面部６６，６６とを有してＵ字状に形成されている。上部側面部６６はそれぞれ、第一中間部５７の両側部から垂直（直角）に立ち上がるように形成されている。また、上部側面部６６には、第二締結部材５９のボルト５９ａが挿通される第一上部ボルト孔６７が貫通形成されており、この第一上部ボルト孔６７は、第一固定部材５２の高さ方向に沿って延びる長孔形状に形成されている。さらに、上部側面部６６の外側面には、第一固定部材５２の高さ方向に間隔を隔てて凹部および凸部を複数形成してなる凹凸構造６８が形成されている。
【００７６】
第二固定部材５４は、第二固定部材５４の下部を構成する第二下部６９と、第二固定部材５４の上部を構成する第二上部７０とを有する。第二下部６９は、第一固定部材５２の第一上部５６に第二締結部材５９を介して固定され、第二上部７０は、梁材７１を介してフレーム構造体に固定される。
【００７７】
第二固定部材５４の第二下部６９は、第二軸線５３を区画する円筒状の第二ボス部７２と、第二上部７０から第二ボス部７２へと延在する一対の第二傾斜面部７３，７３とを有する。第二ボス部７２は、第二締結部材５９のボルト５９ａが挿通される第二下部ボルト孔７４を有している。第二ボス部７２の中心軸線（第二軸線５３）は、第二上部７０を幅方向に等分する線と平行に配置され、第二下部６９は、第二固定部材５４の幅方向に関して対称な形状を有する。第二上部７０と第二ボス部７２と一対の第二傾斜面部７３，７３とで囲まれる領域には、少なくとも一つの第二ホロー部７５が形成される。本実施形態では、前記領域には一つの第二ホロー部７５が形成されている。
【００７８】
第二固定部材５４の第二上部７０は、第二固定部材５４の幅方向に延在する板状部７６を有し、板状部７６は、梁材７１に固定される。この板状部７６の下面には、第二固定部材５４の幅方向に間隔を隔てて凹部および凸部を複数形成してなる凹凸構造７７が形成され、板状部７６の上面には、梁材７１が載置されて固定される。このため、板状部７６には、梁材７１を第二固定部材５４に対して固定するためのボルト７８が挿通される第二上部ボルト孔７９が貫通形成されており、この第二上部ボルト孔７９は、太陽光パネル用架台の幅方向Ｗに沿って延びる長孔形状に形成されている。
【００７９】
梁材７１は、断面ハット形状の形材から構成されて、第二固定部材５４の幅方向（すなわち、第一軸線５１の延在方向）に延在する。このような梁材７１が、第二固定部材５４の第二上部７０（板状部７６）に載置されて固定される。具体的には、梁材７１は、底板部８０と、底板部８０の両側部から上方に延在する一対の側板部８１，８１と、側板部８１の上端から梁材７１の幅方向外側へと突出する突出板部８２とを有して構成されている。そして、底板部８０に、梁材７１を第二固定部材５４に対して固定するためのボルト７８が挿通される梁材側下部ボルト孔８３（図６参照）が貫通形成され、突出板部８２には、梁材７１を第二フレーム部材に対して固定するためのボルト（図示せず）が挿通される梁材側上部ボルト孔８４が貫通形成されている。梁材側下部ボルト孔８３（図６参照）は、太陽光パネル用架台の奥行き方向Ｄに沿って延びる長孔形状に、梁材側上部ボルト孔８４は丸孔形状に、それぞれ形成されている。梁材７１のボルト孔（梁材側下部ボルト孔８３）と、第二固定部材５４のボルト孔（第二上部ボルト孔７９）とが、互いに直交する向きに沿って延びる長孔であるため、梁材７１と第二固定部材５４との固定の際に、前後方向及び幅方向に対する位置決めが容易となる。
【００８０】
本実施形態では、前述の第一固定部材５２と第二固定部材５４とが組み合わせられた組立体（アセンブリ）８５が複数配設される。そして、梁材７１は、一端部が一の組立体８５の第二固定部材５４に固定され、他端部が他の組立体８５の第二固定部材５４に固定される。すなわち、梁材７１を複数の第二固定部材５４（板状部７６）の間に架け渡して固定することにより、ラーメン構造（柱梁構造）を形成している。
【００８１】
第一固定部材５２、第二固定部材５４および梁材７１は、断面ハット形状の支柱部材６等と同様に、アルミニウム合金製の押出形材からなる。
【００８２】
第一固定部材５２の第一下部５５と設置面側構造体１Ｂの支柱部材６との締結は、ボルト５８ａおよびナット（図示せず）からなる第一締結部材５８を介して行う。具体的には、まず、支柱部材６に形成されたホロー部７に第一固定部材５２の第一下部５５を収容する。次いで、ボルト５８ａの軸部を、支柱部材６の一側部に形成されたボルト孔、第一固定部材５２の第一下部ボルト孔６２、支柱部材６の他側部に形成されたボルト孔に挿入して、このボルト５８ａの軸部の先端を支柱部材６の他側部から突出させる。そして、このボルト５８ａの軸部にナットを締め付けると、第一固定部材５２および支柱部材６がボルト５８ａおよびナットによって挟持される。これにより、第一固定部材５２の第一下部５５と設置面側構造体１Ｂの支柱部材６とが締結される。
【００８３】
第一固定部材５２の第一上部５６と第二固定部材５４の第二下部６９との締結は、ワッシャー（座金）８６と、ボルト５９ａおよびナット５９ｂからなる第二締結部材５９とを介して行う。具体的には、まず、第一固定部材５２の第一収容部６５に第二固定部材５４の第二下部６９を収容する。次いで、ボルト５９ａの軸部を、ワッシャー８６、第一固定部材５２の一側部側の第一上部ボルト孔６７、第二固定部材５４の第二下部ボルト孔７４、第一固定部材５２の他側部側の第一上部ボルト孔６７、ワッシャー８６に挿入して、このボルト５９ａの軸部の先端を第一固定部材５２の他側部側のワッシャー８６から突出させる。そして、このボルト５９ａの軸部にナット５９ｂを締め付けると、第一固定部材５２および第二固定部材５４がボルト５９ａおよびナット５９ｂによって挟持される。これにより、第一固定部材５２の第一上部５６と第二固定部材５４の第二下部６９とが締結される。
【００８４】
以下に、本実施形態による作用効果を説明する。
【００８５】
（１）本実施形態に係る太陽光パネル用架台の固定構造は、太陽光パネルを支持するフレーム構造体と、設置面に配設される設置面側構造体１Ｂと、フレーム構造体と設置面側構造体１Ｂとを相対的に傾斜可能に連結して固定する固定部材１０Ｂと、を備える。固定部材１０Ｂは、第一軸線５１周りに傾斜可能な第一固定部材５２と、第一軸線５１と交差する第二軸線５３周りに傾斜可能な第二固定部材５４とを有する。
【００８６】
フレーム構造体を設置面側構造体１Ｂに対して固定する際、フレーム構造体はねじれが生じないように固定する必要がある。そのようにしないと、フレーム構造体における太陽光パネルの支持面にねじれが生じ、太陽光パネルの支持に支障をきたす可能性がある。太陽光パネル用架台のフレーム構造体と設置面側構造体１Ｂとを連結して固定するための固定部材１０Ｂ（第一固定部材５２および第二固定部材５４）が、異なる二方向に対する傾斜機能を有するため、比較的容易に、フレーム構造体をねじれが生じないように固定することが可能となる。
【００８７】
以上より、本実施形態に係る太陽光パネル用架台の固定構造によれば、比較的簡単な構造で二方向に対する傾斜に対応することが可能となる。
【００８８】
（２）第一固定部材５２は、第一下部５５と第一上部５６とを有し、第一下部５５は、設置面側構造体１Ｂに固定され、第一上部５６は、第二固定部材５４に固定される。
【００８９】
これにより、第一固定部材５２を設置面側構造体１Ｂに、所望の傾斜角度に傾斜させて固定することが可能となる。
【００９０】
（３）第一固定部材５２の第一上部５６は、第二固定部材５４の少なくとも一部を収容する第一収容部６５を有し、第一収容部６５は、第一中間部５７と、第一中間部５７の両側部から上方に延在する一対の上部側面部６６，６６とを有してＵ字状に形成される。上部側面部６６の外側面に、第一固定部材５２の高さ方向に間隔を隔てて凹部および凸部を複数形成してなる凹凸構造６８が形成されている。
【００９１】
第一固定部材５２の第一上部５６に第一収容部６５を形成することにより、第一固定部材５２と第二固定部材５４とを安定的に固定することが可能となり、また、第二固定部材５４を第一固定部材５２に対して傾斜させ易くすることが可能となる。また、第一固定部材５２の上部側面部６６の外側面に凹凸構造６８を形成することにより、同様な凹凸構造８７（図６参照）を形成したワッシャー８６を用いてボルトナット固定を行うことで、第一固定部材５２と第二固定部材５４との固定強度を向上させることが可能となる。
【００９２】
（４）第一固定部材５２の第一下部５５は、第一軸線５１を区画する第一ボス部６０と、第一中間部５７の両側部から第一ボス部６０へと延在する一対の第一傾斜面部６１，６１とを有する。第一ボス部６０の中心軸線（第一軸線５１）は、第一中間部５７を幅方向に等分する線と平行に配置され、第一下部５５は幅方向に関して対称な形状を有する。
【００９３】
第一固定部材５２の第一中間部５７から第一ボス部６０までを一対の第一傾斜面部６１，６１によって繋ぐことにより、第一固定部材５２を傾斜させる際に設置面側構造体１Ｂと干渉し難い構造とすることができる。このため、第一固定部材５２の傾斜範囲を広くすることが可能となる。また、第一固定部材５２を幅方向に関して対称な形状とすることにより、第一固定部材５２の重心バランスを良好にすることが可能となる。
【００９４】
（５）第二固定部材５４は、第二下部６９と第二上部７０とを有し、第二下部６９は、第一固定部材５２に固定され、第二上部７０は、梁材７１を介してフレーム構造体に固定される。
【００９５】
これにより、第二固定部材５４を第一固定部材５２に、所望の傾斜角度に傾斜させて固定することが可能となる。また、第二固定部材５４とフレーム構造体との間に梁材７１を介在させることにより、フレーム構造体の位置を微調整することが可能となる。
【００９６】
（６）第二固定部材５４の第二上部７０は、第二固定部材５４の幅方向に延在する板状部７６を有する。板状部７６の下面に、第二固定部材５４の幅方向に間隔を隔てて凹部および凸部を複数形成してなる凹凸構造７７が形成され、板状部７６の上面に、梁材７１が載置されて固定される。
【００９７】
第二固定部材５４の第二上部７０（板状部７６）の下面に凹凸構造７７を形成することにより、同様な凹凸構造を形成したワッシャー（図示せず）を用いてボルトナット固定を行うことで、第二固定部材５４と梁材７１との固定強度を向上させることが可能となる。
【００９８】
（７）第二固定部材５４の第二下部６９は、第二軸線５３を区画する第二ボス部７２と、板状部７６の下面から第二ボス部７２へと延在する一対の第二傾斜面部７３とを有する。第二ボス部７２の中心軸線（第二軸線５３）は、第二上部７０を幅方向に等分する線と平行に配置され、第二下部６９は幅方向に関して対称な形状を有する。
【００９９】
第二固定部材５４の第二上部７０（板状部７６）から第二ボス部７２までを一対の第二傾斜面部７３，７３によって繋ぐことにより、第二固定部材５４を傾斜させる際に第一固定部材５２と干渉し難い構造とすることができる。このため、第二固定部材５４の傾斜範囲を広くすることが可能となる。また、第二固定部材５４を幅方向に関して対称な形状とすることにより、第二固定部材５４の重心バランスを良好にすることが可能となる。
【０１００】
（８）第一固定部材５２と第二固定部材５４とが組み合わせられた組立体８５が複数配設される。梁材７１は、一端部が一の組立体８５の第二固定部材５４に固定され、他端部が他の組立体８５の第二固定部材５４に固定される。
【０１０１】
梁材７１を複数の第二固定部材５４（板状部７６）の間に架け渡して固定することにより、ラーメン構造（柱梁構造）を形成し、強度が高い固定構造を得ることが可能となる。
【０１０２】
（９）第一固定部材５２、第二固定部材５４および梁材７１は、アルミニウム合金製の押出形材からなる。
【０１０３】
これにより、これらの各部材を鋼材からなるものとした場合と比較すると、固定部材１０Ｂ全体および梁材７１を軽量化することが可能になる。また、これらの各部材の寸法精度を高めることができ、太陽光パネル用架台の設置を容易かつ正確に行うことができると共に、優れた耐食性および外観を得ることができる。さらに、アルミニウム合金はリサイクル性に比較的優れているため、太陽光パネル用架台の撤去後に、第一固定部材５２、第二固定部材５４および梁材７１の材料を再利用することができる。
【０１０４】
（１０）固定部材１０Ｂは、第一軸線５１周りに傾斜可能な第一固定部材５２と、第一軸線５１と交差する第二軸線５３周りに傾斜可能な第二固定部材５４と、を備える。第一固定部材５２は、第一下部５５と第一上部５６とを有する。第一固定部材５２の第一上部５６は、第二固定部材５４の少なくとも一部を収容する第一収容部６５を有し、第一収容部６５は、第一中間部５７と、第一中間部５７の両側部から上方に延在する一対の上部側面部６６，６６とを有してＵ字状に形成される。第一固定部材５２の第一下部５５は、第一軸線５１を区画する第一ボス部６０と、第一中間部５７の両側部から第一ボス部６０へと延在する一対の第一傾斜面部６１，６１とを有し、第一ボス部６０の中心軸線（第一軸線５１）は、第一中間部５７を幅方向に等分する線と平行に配置され、第一下部５５は幅方向に関して対称な形状を有する。
【０１０５】
二つの構造体を連結して固定するための固定部材１０Ｂ（第一固定部材５２および第二固定部材５４）が、異なる二方向に対する傾斜機能を有するため、これら二つの構造体を、所望の傾斜角度に傾斜させて固定することが可能となる。
【０１０６】
以上より、固定部材１０Ｂによれば、比較的簡単な構造で二方向に対する傾斜に対応することが可能となる。
【０１０７】
また、第一固定部材５２の第一中間部５７から第一ボス部６０までを一対の第一傾斜面部６１，６１によって繋ぐことにより、第一固定部材５２を傾斜させる際に固定対象の構造体と干渉し難い構造とすることができる。このため、第一固定部材５２の傾斜範囲を広くすることが可能となる。また、第一固定部材５２を幅方向に関して対称な形状とすることにより、第一固定部材５２の重心バランスを良好にすることが可能となる。
【０１０８】
（１１）第一固定部材５２の第一中間部５７と第一ボス部６０と一対の第一傾斜面部６１，６１とで囲まれる領域に、少なくとも一つの第一ホロー部６３が形成される。
【０１０９】
第一固定部材５２に第一ホロー部６３を形成することにより、第一固定部材５２の強度を向上させることができる。
【０１１０】
（１２）第一固定部材５２の上部側面部６６は、第一中間部５７から垂直に立ち上がるように形成されている。
【０１１１】
これにより、第一固定部材５２の第一上部５６に固定する他の部材（第二固定部材５４）を一対の上部側面部６６，６６により挟み込むことができ、第一固定部材５２と他の部材（第二固定部材５４）とを安定的に固定することが可能となる。
【０１１２】
（１３）第一固定部材５２の上部側面部６６の外側面に、第一固定部材５２の高さ方向に間隔を隔てて凹部および凸部を複数形成してなる凹凸構造６８が形成されている。
【０１１３】
第一固定部材５２の上部側面部６６の外側面に凹凸構造６８を形成することにより、同様な凹凸構造８７（図６参照）を形成したワッシャー８６を用いてボルトナット固定を行うことで、第一固定部材５２と他の部材（第二固定部材５４）との固定強度を向上させることが可能となる。
【０１１４】
（１４）第二固定部材５４は、第二下部６９と第二上部７０とを有する。第二固定部材５４の第二上部７０は、第二固定部材５４の幅方向に延在し、下面に第二固定部材５４の幅方向に間隔を隔てて凹部および凸部を複数形成してなる凹凸構造７７を備える板状部７６を有する。第二固定部材５４の第二下部６９は、第二軸線５３を区画する第二ボス部７２と、板状部７６の下面から第二ボス部７２へと延在する一対の第二傾斜面部７３，７３とを有し、第二ボス部７２の中心軸線（第二軸線５３）は、第二上部７０を幅方向に等分する線と平行に配置され、第二下部６９は幅方向に関して対称な形状を有する。
【０１１５】
第二固定部材５４の第二上部７０（板状部７６）から第二ボス部７２までを一対の第二傾斜面部７３，７３によって繋ぐことにより、第二固定部材５４を傾斜させる際に他の部材（第一固定部材５２）と干渉し難い構造とすることができる。このため、第二固定部材５４の傾斜範囲を広くすることが可能となる。また、第二固定部材５４を幅方向に関して対称な形状とすることにより、第二固定部材５４の重心バランスを良好にすることが可能となる。
【０１１６】
（１５）第二固定部材５４の板状部７６と第二ボス部７２と一対の第二傾斜面部７３，７３とで囲まれる領域に、少なくとも一つの第二ホロー部７５が形成される。
【０１１７】
第二固定部材５４に第二ホロー部７５を形成することにより、第二固定部材５４の強度を向上させることができる。
【０１１８】
（１６）二つの構造体は、太陽光パネル用架台のフレーム構造体および設置面側構造体１Ｂである。
【０１１９】
これにより、太陽光パネル用架台のフレーム構造体と設置面側構造体１Ｂとを互いに傾斜させて固定することができ、太陽光パネル用架台としては比較的簡単な構造で二方向に対する傾斜に対応することが可能となる。
【０１２０】
（１７）第一固定部材５２および第二固定部材５４は、アルミニウム合金製の押出形材からなる。
【０１２１】
これにより、これらの各部材を鋼材からなるものとした場合と比較すると、固定部材１０Ｂ全体を軽量化することが可能になる。また、これらの各部材の寸法精度を高めることができ、太陽光パネル用架台の設置を容易かつ正確に行うことができると共に、優れた耐食性および外観を得ることができる。さらに、アルミニウム合金はリサイクル性に比較的優れているため、太陽光パネル用架台の撤去後に、第一固定部材５２および第二固定部材５４の材料を再利用することができる。
【０１２２】
ところで、本発明の太陽光パネル用架台の固定構造および固定部材は前述の実施形態に例をとって説明したが、この実施形態に限ることなく本発明の要旨を逸脱しない範囲で他の実施形態を各種採用することができる。
【符号の説明】
【０１２３】
１  設置面側構造体
１０  固定部材
１１  第一軸線
１２  第一固定部材
１３  第二軸線
１４  第二固定部材
１５  第一下部
１６  第一上部
１７  第一中間部
２０  第一ボス部
２１  第一傾斜面部
２３  第一ホロー部
２５  第一収容部
２６  上部側面部
２８  凹凸構造
２９  第二下部
３０  第二上部
３１  第二中間部
３２  ブラケット部材
３３  第二ボス部
３４  第二傾斜面部
３６  第二ホロー部
３７  係合部
４１  収容部
４２  ホロー部
４３  ブラケット側係合部
５１  第一軸線
５２  第一固定部材
５３  第二軸線
５４  第二固定部材
５５  第一下部
５６  第一上部
５７  第一中間部
６０  第一ボス部
６１  第一傾斜面部
６２  第一下部ボルト孔
６３  第一ホロー部
６５  第一収容部
６６  上部側面部
６８  凹凸構造
６９  第二下部
７０  第二上部
７１  梁材
７２  第二ボス部
７３  第二傾斜面部
７５  第二ホロー部
７６  板状部
７７  凹凸構造
８５  組立体
【図１】
2018174695.tif 000003
【図２】
2018174695.tif 000004
【図３】
2018174695.tif 000005
【図４】
2018174695.tif 000006
【図５】
2018174695.tif 000007
【図６】
2018174695.tif 000008